(57)【要約】【課題】電源を供給する電源プラグ接続装置を備えた炊飯器において、電源プラグ接続装置と電源プラグの接続を簡単に確実に確認できるようにし、調理できない状態や異常発熱状態を防止する。【解決手段】調理物を入れる鍋５をヒータ３により加熱し、このヒータ３に電源を供給する電源プラグ接続装置６に電源プラグ９を挿入して接続する。電源プラグ９を電源プラグ接続装置６に挿入したとき、電源プラグ９の挿入状態を確認できる視認用リブ１３を設ける。【選択図】図１
2005304895.tif 000002
【特許請求の範囲】
【請求項１】
調理物を入れる鍋と、この鍋を加熱する加熱手段と、この加熱手段に電源を供給する電源プラグ接続装置と、この電源プラグ接続装置に挿入して接続する電源プラグとを備え、前記電源プラグを前記電源プラグ接続装置に挿入したとき、前記電源プラグの挿入状態を確認できる確認手段を設けた炊飯器。
【請求項２】
電源プラグは、電源プラグ接続装置に挿入する挿入部と、この挿入部と外形が異なる把手部とを有し、確認手段は、前記電源プラグを前記電源プラグ接続装置に挿入した状態で、前記把手部の挿入部側の端面を視認可能に前記電源プラグ接続装置に設けた視認用リブで構成した請求項１記載の炊飯器。
【請求項３】
視認用リブは、電源プラグを電源プラグ接続装置に挿入した状態で、その先端が把手部の挿入部側の端面と略同一線上に位置するように構成した請求項２記載の炊飯器。
【請求項４】
電源プラグ接続装置は、電源プラグを挿入する開口部を有し、確認手段は、前記開口部の上面、側面のいずれかまたは両方に設けた請求項１〜３のいずれか１項に記載の炊飯器。
【発明の詳細な説明】
【技術分野】
【０００１】
本発明は、電源を供給する電源プラグ接続装置を備えた炊飯器に関するものである。
【背景技術】
【０００２】
従来、この種の炊飯器は図６に示すように構成していた。以下、その構成について説明する。
【０００３】
図６に示すように、炊飯器本体３１は保護枠３２を有し、この保護枠３２にヒータ３３をねじ３４により固定している。鍋３５は調理物を入れるもので、ヒータ３３に載置し、加熱するようにしている。
【０００４】
電源プラグ接続装置３６は、ヒータ３３に電源を供給するもので、ピン端子３７を取付金具３８とともにナット３９により絶縁磁器４０に固定し、絶縁磁器４０をペク枠４１により覆い、樹脂製の本体下部４２に固定した止め金具４３にねじ４４によって固着しており、図示しない電源プラグの端子を挿入してピン端子３７と電気的接続がなされる。
【０００５】
上記構成において、電源プラグ接続装置３６に電源プラグの端子を挿入することによって、電源が供給される（例えば、特許文献１参照）。
【特許文献１】特開２００２−３６０４１７号公報
【発明の開示】
【発明が解決しようとする課題】
【０００６】
しかしながら、このような従来の構成では、電源プラグ接続装置３６と電源プラグの接続状態が確認しにくいため、電源プラグ接続装置３６と電源プラグの不完全挿入が発生して、調理中に電源プラグが抜けて未接続状態になり調理できない場合や、電源プラグの端子部とピン端子３７が微接触状態になることで異常発熱が発生する問題を有していた。
【０００７】
本発明は上記従来の課題を解決するもので、電源プラグ接続装置と電源プラグの接続を簡単に確実に確認できるようにし、調理できない状態や異常発熱状態を防止することを目的としている。
【課題を解決するための手段】
【０００８】
本発明は上記目的を達成するために、調理物を入れる鍋を加熱手段により加熱し、この加熱手段に電源を供給する電源プラグ接続装置に電源プラグを挿入して接続するよう構成し、電源プラグを電源プラグ接続装置に挿入したとき、電源プラグの挿入状態を確認できる確認手段を設けたものである。
【０００９】
これにより、電源プラグ接続装置と電源プラグの接続を簡単に確実に確認することができ、調理できない状態や異常発熱状態を防止することができる。
【発明の効果】
【００１０】
本発明の炊飯器は、電源プラグ接続装置と電源プラグの接続を簡単に確実に確認することができ、電源プラグ接続装置と電源プラグの不完全挿入が発生して、調理中に電源プラグが抜けて未接続状態になり調理できない場合や、電源プラグの端子部とピン端子が微接触状態になることで異常発熱が発生するのを防止することができる。
【発明を実施するための最良の形態】
【００１１】
第１の発明は、調理物を入れる鍋と、この鍋を加熱する加熱手段と、この加熱手段に電源を供給する電源プラグ接続装置と、この電源プラグ接続装置に挿入して接続する電源プラグとを備え、前記電源プラグを前記電源プラグ接続装置に挿入したとき、前記電源プラグの挿入状態を確認できる確認手段を設けたものであり、電源プラグ接続装置と電源プラグの接続を確認手段により簡単に確実に確認することができ、調理できない状態や異常発熱状態を防止することができる。
【００１２】
第２の発明は、上記第１の発明において、電源プラグは、電源プラグ接続装置に挿入する挿入部と、この挿入部と外形が異なる把手部とを有し、確認手段は、前記電源プラグを前記電源プラグ接続装置に挿入した状態で、前記把手部の挿入部側の端面を視認可能に前記電源プラグ接続装置に設けた視認用リブで構成したものであり、電源プラグを電源プラグ接続装置に挿入した状態で、把手部の挿入部側の端面の位置を視認用リブを基準に視認することで、電源プラグ接続装置と電源プラグの接続を簡単に確実に確認することができ、調理できない状態や異常発熱状態を防止することができる。
【００１３】
第３の発明は、上記第２の発明において、視認用リブは、電源プラグを電源プラグ接続装置に挿入した状態で、その先端が把手部の挿入部側の端面と略同一線上に位置するように構成したものであり、電源プラグを電源プラグ接続装置に挿入した状態で、視認用リブの先端が把手部の挿入部側の端面と略同一線上に位置することで、電源プラグ接続装置と電源プラグの接続状態を目視により簡単に確認することができ、調理できない状態や異常発熱状態を防止することができる。
【００１４】
第４の発明は、上記第１〜３のいずれか１つの発明において、電源プラグ接続装置は、電源プラグを挿入する開口部を有し、確認手段は、前記開口部の上面、側面のいずれかまたは両方に設けたものであり、どの位置からでも電源プラグ接続装置と電源プラグの接続をより簡単に確実に確認することができる。
【００１５】
以下、本発明の実施の形態について、図面を参照しながら説明する。なお、この実施の形態によって本発明が限定されるものではない。
【００１６】
（実施の形態１）
図１および図２に示すように、炊飯器本体１は保護枠２を有し、この保護枠２にヒータ（加熱手段）３をねじ４により固定している。鍋５は調理物を入れるもので、ヒータ３に載置して加熱するようにしている。電源プラグ接続装置６は、ヒータ３に電源を供給するもので、ピン端子７を電源プラグ接続装置６にインサート成形にて固定し、電源プラグ接続装置６を下枠７とボディ８により挟み込み固定している。
【００１７】
電源プラグ９は、電源プラグ接続装置６に挿入して接続するもので、電源プラグ接続装置６に挿入する挿入部１０と、この挿入部１０と外形が異なる把手部１１とを有し、電源プラグ９の挿入部１０を電源プラグ接続装置６に挿入することによりピン端子１２と電気的接続がなされる。
【００１８】
視認用リブ１３は、電源プラグ９を電源プラグ接続装置６に挿入した状態で、把手部１１の挿入部１０側の端面１１ａを視認可能に電源プラグ接続装置６に設け、電源プラグ９の挿入状態を確認できる確認手段を構成しており、この視認用リブ１３は、電源プラグ接続装置６の開口部１４の上部を覆い、開口部１４の天井面１５から張出し、電源プラグ９を電源プラグ接続装置６に挿入した状態で、その先端が把手部１１の挿入部１０側の端面１１ａと略同一線上に位置するように構成している。
【００１９】
上記構成において作用を説明する。電源プラグ９の挿入部１０を電源プラグ接続装置６に挿入接続すると、図１に示すように、完全に挿入された状態では、電源プラグ９の把手部１１の挿入部１０側の端面１１ａが電源プラグ接続装置６に設けた視認用リブ１３の先端と略同一線上に位置することで確実に接続されていることが容易に確認することができる。
【００２０】
つぎに、図３に示すように、不完全挿入状態になった場合は、把手部１１の挿入部１０側の端面１１ａと電源プラグ接続装置６に設けた視認用リブ１３の先端とがずれるため、容易に不完全接続挿入状態を確認することができる。
【００２１】
以上のように、本実施の形態においては、電源プラグ９を電源プラグ接続装置６に挿入したとき、電源プラグ９の挿入状態を確認できる確認手段として、視認用リブ１３を設けたので、電源プラグ接続装置６と電源プラグ９の接続を視認用リブ１３により簡単に確実に確認することができ、調理できない状態や異常発熱状態を防止することができる。
【００２２】
また、確認手段を構成する視認用リブ１３は、電源プラグ９を電源プラグ接続装置６に挿入した状態で、把手部１１の挿入部１０側の端面１１ａを視認可能に電源プラグ接続装置６に設けたので、電源プラグ９を電源プラグ接続装置６に挿入した状態で、把手部１１の挿入部１０側の端面１１ａの位置を視認用リブ１３を基準に視認することで、電源プラグ接続装置６と電源プラグ９の接続を簡単に確実に確認することができ、調理できない状態や異常発熱状態を防止することができる。
【００２３】
また、視認用リブ１３は、電源プラグ９を電源プラグ接続装置１０に挿入した状態で、その先端が把手部１１の挿入部１０側の端面１１ａと略同一線上に位置するように構成したので、電源プラグ接続装置６と電源プラグ９の接続状態を目視により簡単に確認することができ、調理できない状態や異常発熱状態を防止することができる。
【００２４】
なお、本実施の形態では、視認用リブ１３は、電源プラグ接続装置６の開口部１４の上部を覆い、開口部１４の天井面１５から張出すように設けているが、開口部１４の側面から張出すように設けてもよく、同様の作用、効果を得ることができる。
【００２５】
（実施の形態２）
図４に示すように、視認用リブ１６は、電源プラグ９を電源プラグ接続装置６に挿入した状態で、電源プラグ９の把手部１１の挿入部１０側の端面１１ａを視認可能に電源プラグ接続装置６に設け、電源プラグ９の挿入状態を確認できる確認手段を構成しており、この視認用リブ１３は、電源プラグ接続装置６の開口部１４の上部と側部を覆うように、開口部１４の天井面１５と側面１７から張出している。他の構成は上記実施の形態１と同じであり、同一符号を付して説明を省略する。
【００２６】
上記構成において作用を説明する。電源プラグ９の挿入部１０を電源プラグ接続装置６に挿入接続すると、図５に示すように、完全に挿入された状態では、電源プラグ９の把手部１１の挿入部１０側の端面１１ａが電源プラグ接続装置６に設けた視認用リブ１６の先端と略同一線上に位置することで確実に接続されていることが容易に確認することができる。
【００２７】
ここで、電源プラグ接続装置６に設けた視認用リブ１６を電源プラグ９に対向する天井面１５と側面１７に設けることにより、どの位置からでも電源プラグ接続装置６と電源プラグ９の接続をより簡単に確実に確認することができる。
【００２８】
以上のように、本実施の形態においては、視認用リブ１３を電源プラグ接続装置６の開口部１４の上面と側面を覆うように設けたので、どの位置からでも電源プラグ接続装置６と電源プラグ９の接続をより簡単に確実に確認することができ、不完全接続による電源プラグ抜けや、微接触による異常発熱状態を防止することができる。
【産業上の利用可能性】
【００２９】
以上のように、本発明にかかる炊飯器は、電源プラグ接続装置と電源プラグの接続を簡単に確実に確認することができ、電源プラグ接続装置と電源プラグの不完全挿入が発生して、調理中に電源プラグが抜けて未接続状態になり調理できない場合や、電源プラグの端子部とピン端子が微接触状態になることで異常発熱が発生するのを防止することができるので、電源を供給する電源プラグ接続装置を備えた炊飯器として有用である。
【図面の簡単な説明】
【００３０】
【図１】本発明の実施の形態１の炊飯器の要部断面図
【図２】（ａ）同炊飯器の一部切欠した側面図（ｂ）同炊飯器の要部正面図
【図３】同炊飯器の電源プラグを不完全挿入された状態の要部断面図
【図４】（ａ）本発明の実施の形態２の炊飯器の一部切欠した側面図（ｂ）同炊飯器の要部正面図
【図５】同炊飯器の電源プラグを完全挿入された状態の要部断面図
【図６】従来の炊飯器の一部切欠した側面図
【符号の説明】
【００３１】
３  ヒータ（加熱手段）
５  鍋
６  電源プラグ接続装置
９  電源プラグ
１３  視認用リブ（確認手段）
【図１】
2005304895.tif 000003
【図２】
2005304895.tif 000004
【図３】
2005304895.tif 000005
【図４】
2005304895.tif 000006
【図５】
2005304895.tif 000007
【図６】
2005304895.tif 000008